(57)【特許請求の範囲】
【請求項１】
本体ケース内に、液晶表示装置と、前記液晶表示装置の後側に配置され、前記液晶表示装置における表示動作や他のインターホン機器との間での通話動作を制御する制御基板とが内蔵されたインターホン機器であって、
前記液晶表示装置を支持する液晶支持部材が、前記制御基板の表面上に設置されているとともに、
前記液晶支持部材に、前記液晶表示装置を支持する側と前記制御基板側とを連通させる開口と、前記開口の後端縁から前記開口内へ向かって対向状に突出する一組の突片とを備えた取付部が設けられ、両前記突片の表面が、前記液晶支持部材における前記取付部の周囲よりも後側に位置して、前記開口内における両前記突片の表面側に空間が形成されており、
さらに、導電性を有する弾性部材が、前記液晶表示装置を支持する側と前記制御基板側とに突出し、且つ、一組の前記突片により挟まれた状態で、前記取付部に嵌め込んで取り付けられており、
前記液晶支持部材に支持された前記液晶表示装置と前記制御基板の表面とで挟まれ、前記空間内で弾性変形して前記液晶表示装置と前記制御基板とに密着した前記弾性部材により、前記液晶表示装置と前記制御基板とが電気的に接続されることを特徴とするインターホン機器。
【発明の詳細な説明】
【技術分野】
【０００１】
本発明は、たとえば居室内に設置され、インターホン子機からの呼び出しに応答するインターホン親機等といったインターホン機器に関するものである。
【背景技術】
【０００２】
従来、たとえば居室内に設置されるインターホン親機には、たとえば特許文献１に記載されているように、インターホン子機により撮像された映像を表示するための液晶表示装置が備えられている。
【先行技術文献】
【特許文献】
【０００３】
【特許文献１】特開２００７−９６５０１号公報
【発明の概要】
【発明が解決しようとする課題】
【０００４】
近年、インターホン親機を始めとするインターホン機器では、小型化・薄型化が望まれている。しかしながら、従来のようにインターホン機器内において液晶表示装置と制御基板とをケーブルにより電気的に接続していたのでは、小型化・薄型化にどうしても限界がある。
【０００５】
そこで、本発明は、上記問題に鑑みなされたものであって、従来よりも小型化・薄型化を図ることができるインターホン機器を提供しようとするものである。
【課題を解決するための手段】
【０００６】
上記目的を達成するために、本発明は、本体ケース内に、液晶表示装置と、液晶表示装置の後側に配置され、液晶表示装置における表示動作や他のインターホン機器との間での通話動作を制御する制御基板とが内蔵されたインターホン機器であって、液晶表示装置を支持する液晶支持部材が、制御基板の表面上に設置されているとともに、液晶支持部材に、液晶表示装置を支持する側と制御基板側とを連通させる開口と、開口の後端縁から開口内へ向かって対向状に突出する一組の突片とを備えた取付部が設けられ、両突片の表面が、液晶支持部材における取付部の周囲よりも後側に位置して、開口内における両突片の表面側に空間が形成されており、さらに、導電性を有する弾性部材が、液晶表示装置を支持する側と制御基板側とに突出し、且つ、一組の突片により挟まれた状態で、取付部に嵌め込んで取り付けられており、液晶支持部材に支持された液晶表示装置と制御基板の表面とで挟まれ、空間内で弾性変形して液晶表示装置と制御基板とに密着した弾性部材により、液晶表示装置と制御基板とが電気的に接続されることを特徴とする。
請求項１に記載の発明によれば、液晶表示装置を支持する液晶支持部材を、制御基板の表面上に設置するとともに、液晶支持部材に、液晶表示装置を支持する側と制御基板側とを連通させる開口とされた取付部が設けられ、導電性を有する弾性部材を、液晶表示装置を支持する側と制御基板側とに突出した状態で、取付部に嵌め込んで取り付けた。そして、液晶支持部材に支持された液晶表示装置と制御基板の表面とで挟まれ、弾性変形して液晶表示装置と制御基板とに密着した弾性部材により、液晶表示装置と制御基板とを電気的に接続可能としている。したがって、ケーブルを用いて液晶表示装置と制御基板とを電気的に接続していた従来のインターホン機器と比べると、ケーブルの引き回し等に係るスペースが必要でなく、両者の接続に係るスペースを狭くすることができ、ひいてはインターホン機器の小型化・薄型化を図ることができる。また、取付部に取り付けられた弾性部材を液晶表示装置と制御基板とで挟んで固定するため、弾性部材の設置、ひいては液晶表示装置と制御基板との接続作業、更にはインターホン機器の組み立て作業が容易となる。
【０００７】
また、請求項１に記載の発明によれば、取付部に、開口内へ向かって対向状に突出する一組の突片を備え、弾性部材を、一組の突片により挟んだ状態で、取付部に嵌め込んで取付可能としている。したがって、取付部内からの弾性部材の不用意な脱落や、取付部内での弾性部材の位置ずれを防止することができ、液晶表示装置と制御基板との接続作業、ひいてはインターホン機器の組み立て作業を非常に容易なものとすることができる。
さらに、請求項１に記載の発明によれば、両突片の表面を、液晶支持部材における取付部の周囲よりも後側に位置させて、開口内における両突片の表面側に空間を形成しており、弾性部材が空間内で弾性変形するようにしている。すなわち、弾性変形する弾性部材を空間内に収納可能としている。したがって、弾性部材が取付部を越えて液晶表示装置と液晶支持部材との間に入り込むようなことがなく、液晶表示装置ががたついたり、液晶表示装置の姿勢が傾いたりする問題が生じない。
【発明の効果】
【０００８】
本発明によれば、導電性を有する弾性部材を用いて液晶表示装置と制御基板とを電気的に接続するため、ケーブルを用いて液晶表示装置と制御基板とを電気的に接続していた従来のインターホン機器と比べると、ケーブルの引き回し等に係るスペースが必要でなく、両者の接続に係るスペースを狭くすることができ、ひいてはインターホン機器の小型化・薄型化を図ることができる。また、取付部に取り付けた弾性部材を、液晶表示装置と制御基板とで挟んで固定するため、液晶表示装置と制御基板との接続作業を非常に容易なものとすることができる。
さらに、開口の後端縁から開口内へ向かって対向状に突出する一組の突片を備えたり、両突片の表面を、液晶支持部材における取付部の周囲よりも後側に位置させて、開口内における両突片の表面側に空間を形成したりしているため、取付部内からの弾性部材の不用意な脱落や、取付部内での弾性部材の位置ずれを防止することができ、液晶表示装置と制御基板との接続作業、ひいてはインターホン機器の組み立て作業を非常に容易なものとすることができる上、弾性部材が取付部を越えて液晶表示装置と液晶支持部材との間に入り込むようなことがなく、液晶表示装置ががたついたり、液晶表示装置の姿勢が傾いたりする問題が生じない。
【図面の簡単な説明】
【０００９】
【図１】インターホン親機を前側から示した斜視説明図である。
【図２】インターホン親機の本体ケース内部を示した斜視説明図である。
【図３】図２の状態から導電性ガスケットを取り外した状態を示した斜視説明図である。
【図４】導電性ガスケットの取付位置におけるインターホン親機の上下方向での断面を示した説明図である。
【発明を実施するための形態】
【００１０】
以下、本発明の一実施形態となるインターホン親機について、図面にもとづき詳細に説明する。
【００１１】
図１は、インターホン親機１を前側から示した斜視説明図である。図２は、インターホン親機１から前ケース２及び液晶表示装置１０を取り外した状態を前側から示した斜視説明図である。図３は、図２の状態から導電性ガスケット２１を取り外した状態を示した斜視説明図である。図４は、導電性ガスケット２１の取付位置におけるインターホン親機１の上下方向での断面を示した説明図である。
【００１２】
インターホン親機１は、前側に配置される前ケース２と、後側に配置される後ケース３とを組み付けてなる本体ケースを有している。この本体ケースの前面上部には、液晶表示装置１０の画面が露出しており、インターホン子機（図示せず）で撮像された映像等を表示するための映像表示部４とされている。また、映像表示部４の右側には、居住者が来訪者と通話等するためのマイク部５が設けられている。さらに、映像表示部４の下側には、インターホン子機１からの呼び出しに応答する際等に、居住者が押し込み操作する応答ボタン６が設けられている。加えて、応答ボタン６の更に下側には、居住者が来訪者と通話等するためのスピーカ部７が設けられている。そして、このようなインターホン親機１は、居室内の壁面等に設置されており、インターホン子機からの呼び出しに応じて応答ボタン６を操作すると、映像表示部４に映像が表示されるとともにインターホン子機との間で通話可能な状態となる。なお、８は、インターホン親機１の照明灯（図示せず）を点灯させたり、通話に係る音量を調整したりするための機能ボタンである。
【００１３】
ここで、本発明の要部となるインターホン親機１における液晶表示装置１０への通電に係る構造について詳細に説明する。
インターホン親機１の本体ケース内には、インターホン親機１の動作（インターホン子機との間での通話動作は勿論、液晶表示装置１０での表示動作をも含む）を制御する制御基板２０が内蔵されている。また、該制御基板２０の前側に、液晶表示装置１０が設置されており、制御基板２０と液晶表示装置１０との間に作動フレーム体１１が設けられている。作動フレーム体１１は、本体ケースの上部から下部にかけて広範囲にわたり配置される絶縁性を有する合成樹脂製の部材であって、上部には液晶表示装置１０を支持するための液晶支持部１２が、下部には応答ボタン６が、右部には機能ボタン８、８が全て一体成形によって備えられている。この液晶支持部１２は、背板部と、背板部の表面から前方へ立設されたリブとから構成され、リブにより上下左右を囲まれた後側へ凹む凹部となっている。そして、この液晶支持部１２の背板部に、液晶支持部１２で支持される液晶表示装置１０と、作動フレーム体１１の後側に位置する制御基板２０とを電気的に接続するための導電性ガスケット２１を取り付けるためのガスケット取付部１３が設けられている。
【００１４】
ガスケット取付部１３は、液晶支持部１２内の空間と、作動フレーム体１１の後側空間とを連通させる正面視略矩形の開口として形成されており、開口の上辺側と下辺側とからは、導電性ガスケット２１を挟持するための一組の挟持片１４が夫々開口内側へ対向状に突設されている。各挟持片１４は、開口の後端縁から開口内側へ延設されており、各挟持片１４の表面は、作動フレーム体１１における開口周縁の表面よりも後側に凹んでおり、挟持片１４の表面側形成される凹状の空間は、押し潰されて変形した導電性ガスケット２１の一部を収納可能な収納空間１５となる（図４）。一方、導電性ガスケット２１は、前後方向の厚みが作動フレーム体１１よりも十分に厚い方体状に形成された弾性変形可能な導電体であって、挟持片１４、１４に挟まれて弾性変形し、且つ、液晶支持部１２内の空間側と制御基板２０側とに突出した状態でガスケット取付部１３内に嵌まり込み可能となっている。
【００１５】
上記作動フレーム体１１は、本体ケース内において上述の如く制御基板２０の前側に位置されており、ガスケット取付部１３内には、制御基板２０の前側に設けられた液晶用通電部（図示せず）が露出している。そこで、導電性ガスケット２１を、挟持片１４、１４に挟ませつつガスケット取付部１３内へ嵌め込んで取り付けた後、液晶支持部１２内に液晶表示装置１０を嵌め込んで支持させればよい。すると、液晶支持部１２内の空間側と制御基板２０側とに突出している導電性ガスケット２１が、制御基板２０の前面と液晶表示装置１０の後面とに前後から押し潰された格好に弾性変形する。すなわち、導電性ガスケット２１の前面が液晶表示装置１０の後面（図示しない通電部）に、導電性ガスケット２１の後面が制御基板２０の液晶用通電部に夫々密着する。したがって、液晶表示装置１０と制御基板２０とが導電性ガスケット２１を介して電気的に接続される。
【００１６】
なお、制御基板２０の前面には、応答ボタン６の操作を検出するための検出スイッチ（図示せず）や各機能ボタン８の操作を検出するための検出スイッチ（図示せず）等が設けられている。そして、作動フレーム体１１を制御基板２０の前側に位置させた際、各検出スイッチは、夫々対応するボタンの後側や内側に位置することになる。
また、液晶表示装置１０を液晶表示部１２内に嵌め込むにあたって変形した導電性ガスケット２１は、挟持片１４、１４の表面側に形成されている収納空間１５内に収納されることになる。このとき、押し潰される導電性ガスケット２１が上下方向で若干ずれる事態も起こり得る。しかしながら、そのような場合でも、導電性ガスケット２１は収納空間１５内に収納され、ガスケット取付部１３を越えて液晶表示装置１０の後面側へはみ出すようなことはない。
【００１７】
以上のような構成を有するインターホン親機１によれば、導電性ガスケット２１を用いて液晶表示装置１０と制御基板２０とを電気的に接続している。したがって、ケーブルを用いて両者を電気的に接続していた従来のインターホン機器と比べると、ケーブルの引き回し等に係るスペースが必要でなく、両者の接続に係るスペースを狭くすることができ、ひいてはインターホン機器の小型化・薄型化を図ることができる。
【００１８】
また、液晶表示装置１０を作動フレーム体１１の液晶支持部１２に支持させ、該作動フレーム体１１を制御基板２０の表面に配するとともに、液晶支持部１２に、液晶支持部１２内の空間と制御基板２０側の空間とを連通させる開口を設けて、導電性ガスケット２１を取り付けるためのガスケット取付部１３としている。そして、液晶表示部１２内に液晶表示装置１０を嵌め込むことにより、ガスケット取付部１３に取り付けられた導電性ガスケット２１が、液晶表示装置１０の後面と制御基板２０の前面とで前後から押し潰されて、両者に夫々密着するようにしている。したがって、導電性ガスケット２１をネジ止めしたり貼着したりする必要がなく、導電性ガスケット２１の設置、ひいては液晶表示装置１０と制御基板２０との接続、更にはインターホン親機１の組み立てを容易に行うことができる。
【００１９】
さらに、ガスケット取付部１３に、開口内へ向かって突出する一組の挟持片１４、１４を備えているため、ガスケット取付部１３内からの導電性ガスケット２１の不用意な脱落や、ガスケット取付部１３内での導電性ガスケット２１の位置ずれを防止することができ、液晶表示装置１０と制御基板２０との接続、ひいてはインターホン親機１の組み立てを一層容易に行うことができる。
さらにまた、各挟持片１４の表面を、ガスケット取付部１３の周囲よりも後側に凹ませ、各挟持片１４の表面側に収納空間１５を形成しており、液晶表示装置１０の取り付けに伴い押し潰されて変形した導電性ガスケット２１や上下方向へずれた導電性ガスケット２１を、収納空間１５内に収納可能としている。したがって、導電性ガスケット２１が液晶表示装置１０の後面と液晶支持部１２の表面との間に入り込むことがなく、液晶表示装置１０ががたついたり、取付姿勢が傾いたりするといった問題が生じない。
加えて、作動フレーム体１１が、液晶支持部１２に加え、応答ボタン６や機能ボタン８、８を一体成形により備えているため、部品点数を削減することができる上、１つの部材の設置に応じて、液晶支持部１２、応答ボタン６、及び機能ボタン８、８を同時に設置することができ、インターホン親機１の組み立てを非常に容易に行うことができる。
【００２０】
なお、本発明に係るインターホン機器は、上記実施形態の態様に何ら限定されるものではなく、インターホン機器の全体的な構成は勿論、導電性ガスケットの取り付けに係る構成についても、本発明の趣旨を逸脱しない範囲で、必要に応じて適宜変更することができる。
【００２１】
たとえば、上記実施形態では、液晶支持部材として、液晶支持部、応答ボタン、及び機能ボタンを一体成形により備えた作動フレーム体を採用しているが、液晶支持部のみを有する液晶支持部材を採用してもよいし、応答ボタンと機能ボタンとの何れか一方だけが液晶支持部と一体成形された液晶支持部材を採用しても何ら問題はない。
また、上記実施形態では、ガスケット取付部に一組の挟持片を設けているが、１つの挟持片をのみを開口内へ突設させ、挟持片と、対向する開口縁とにより導電性ガスケットが挟持されるように構成してもよいし、挟持片を設けず、開口よりも一回り大きな導電性ガスケットを嵌め込んで取り付けるように構成してもよい。なお、開口よりも小さな導電性ガスケットを採用することも当然可能である。
【００２２】
さらに、液晶表示装置の表示動作を制御する制御基板上に、応答ボタンの操作を検出する検出スイッチや機能ボタンの操作を検出する検出スイッチを搭載しているが、夫々別の基板に分離することも可能である。
さらにまた、本体ケースにおける液晶表示装置や応答ボタン等の位置に応じて、作動フレーム体の形状や大きさ、たとえば作動フレーム体における液晶表示部の位置や形状等は適宜変更可能である。
加えて、上記実施形態では、インターホン機器の一例であるインターホン親機について説明しているが、液晶表示装置を内蔵したものであれば、集合住宅で使用するインターホン機器等の他のインターホン機器であっても何ら問題はない。
【符号の説明】
【００２３】
１・・インターホン親機（インターホン機器）、２・・前ケース（本体ケース）、３・・後ケース（本体ケース）、４・・映像表示部、１０・・液晶表示装置、１１・・作動フレーム体（液晶支持部材）、１２・・液晶支持部、１３・・ガスケット取付部（取付部）、１４・・挟持片（突片）、１５・・収納空間、２０・・制御基板、２１・・導電性ガスケット（導電性を有する弾性部材）。
【図１】
0006550309.tif 000002
【図２】
0006550309.tif 000003
【図３】
0006550309.tif 000004
【図４】
0006550309.tif 000005